(57)【特許請求の範囲】
【請求項１】
対向する壁間に架設されるとともに、複数の床梁を有する床下地部の上部に、上面にフローリング材が敷設される床板が敷設されており、
前記床下地部と床板との間には、前記複数の床梁の長さ方向に沿って所定の間隔をあけて取り付けられるとともに、前記床板を支持する床板支持部材が複数設けられており、
この床板支持部材は、前記壁に沿うようにして前記床下地部の上部に敷設される床板の壁側端部を保持する端部用部材と、隣り合う床板の隣り合う端部の双方を保持する中間用部材とで構成されており、
これら端部用部材および中間用部材は、前記床梁に固定されるとともに、この床梁の垂直面に沿う第１垂直板部を有する固定部と、この固定部の上方に所定の間隔をおいて前記床板の端部を保持するとともに、前記固定部の第１垂直板部に対向する第２垂直板部を有する保持部と、これら第１垂直板部および第２垂直板部間に設けられる振動減衰手段とをそれぞれ備えていることを特徴とする遮音床構造。
【請求項２】
請求項１に記載の遮音床構造において、
前記端部用部材の保持部は、前記第２垂直板部と、この第２垂直板部の上端部から前記壁に向かって突出する水平板部と、この水平板部の突端から前記壁に沿って上方に突出する壁際板部と、この壁際板部の上端部から前記水平板部と平行する方向に突出する突出片とを備えており、
前記壁に沿って敷設される床板は、この床板の壁側端部を、前記水平板部と、前記壁際板部と、前記突出片との間に差し込むようにして、前記床下地部の上部に敷設されていることを特徴とする遮音床構造。
【請求項３】
請求項２に記載の遮音床構造において、
前記端部用部材の固定部は、前記第１垂直板部と、この第１垂直板部の上端部から前記床梁の上面に沿って突出するとともに、前記保持部の水平板部と対向する水平板部とを備えており、
この固定部の水平板部には、前記固定部を前記床梁に固定する止着材を挿通させるための第１挿通孔が形成されており、この第１挿通孔は、前記止着材の頭部よりも小径に設定されており、
前記保持部の水平板部には、前記第１挿通孔と対向するとともに、前記止着材の頭部よりも大径な第２挿通孔が形成されており、
前記端部用部材の保持部によって保持される前記床板の壁側端部には、前記保持部の水平板部に形成された第２挿通孔と対向するとともに、前記止着材の頭部よりも大径な第３挿通孔が形成されており、
前記固定部は、前記止着材を、前記第２および第３挿通孔を通過させるとともに、前記第１挿通孔に挿通させるようにして前記床梁にねじ込むことによって、前記床梁に固定されていることを特徴とする遮音床構造。
【請求項４】
請求項１〜３のいずれか一項に記載の遮音床構造において、
前記中間用部材の保持部は、前記第２垂直板部と、この第２垂直板部の上端部から前記隣り合う床板の双方の上面に沿って突出する一方および他方の突出片と、前記第２垂直板部の中央部付近から前記隣り合う床板の双方の下面に沿って突出する一方および他方の支持片とを備えており、
前記隣り合う床板は、これら隣り合う床板の隣り合う端部を、前記一方および他方の突出片と、前記一方および他方の支持片との間にそれぞれ差し込むようにして、前記床下地部の上部に敷設されていることを特徴とする遮音床構造。
【請求項５】
請求項１〜４のいずれか一項に記載の遮音床構造において、
前記床下地部は、建築用床パネルによって構成されており、
この建築用床パネルは、床梁となる框材を矩形枠状に組み立ててなる枠体内に、床梁となる補強桟材を所定の間隔をあけて複数並設するとともに、前記枠体および補強桟材の下面に面材を取り付けることによって形成されていることを特徴とする遮音床構造。
【請求項６】
請求項５に記載の遮音床構造において、
前記面材上に、吸音材が敷設されていることを特徴とする遮音床構造。
【発明の詳細な説明】
【技術分野】
【０００１】
本発明は、複数の床梁を有する床下地部と、この床下地部の上部に敷設される床板との間に、振動減衰手段を備える床板支持部材が複数設けられてなる遮音床構造に関する。
【背景技術】
【０００２】
例えば、子どもが飛び跳ねた時などに生じる床の衝撃音については、特許文献１に記載のように、フローリング材自体の裏面に緩衝材や弾性シート等を貼り付ける方法や、床厚さを増加させ重量増と剛性増を行うことによって床の振動を減衰させる方法など、様々な対策が試みられている。
【特許文献１】特開平０８−２０９９１７号公報
【発明の開示】
【発明が解決しようとする課題】
【０００３】
ところが、床の衝撃音を低減するに際して、上述のような弾性シートをフローリング材の裏面に貼り付ける方法を採用した場合、弾性シートの弾性の度合いによって、床の浮き沈みが大きくなってしまい、安定した歩行感を得られない場合がある。
また、例えば戸建て住宅等で、床厚さを増加させるような方法を採用すると、床に対する柱、梁、壁等の構造部材同士の固定強度を必要以上に高めたり、構造部材そのものの剛性も高めたりしなければならないため、これに伴う作業手間の増加やコストの増加等の問題が生じる場合があった。
【０００４】
本発明の課題は、安定した歩行感を得られるとともに、衝撃によって床に発生する振動を確実に減衰できる遮音床構造を提供することを目的とする。
【課題を解決するための手段】
【０００５】
請求項１に記載の発明は、遮音床構造であり、例えば図１〜図５に示すように、対向する壁４間に架設されるとともに、複数の床梁１ａ，１ｂを有する床下地部１の上部に、上面にフローリング材３が敷設される床板２が敷設されており、
前記床下地部１と床板２との間には、前記複数の床梁１ａ，１ｂの長さ方向に沿って所定の間隔をあけて取り付けられるとともに、前記床板２を支持する床板支持部材が複数設けられており、
この床板支持部材は、前記壁４に沿うようにして前記床下地部１の上部に敷設される床板２の壁側端部を保持する端部用部材Ａと、隣り合う床板２，２の隣り合う端部の双方を保持する中間用部材Ｂとで構成されており、
これら端部用部材Ａおよび中間用部材Ｂは、前記床梁１ａ，１ｂに固定されるとともに、この床梁１ａ，１ｂの垂直面に沿う第１垂直板部１１Ａ，１１Ｂを有する固定部１０Ａ，１０Ｂと、この固定部１０Ａ，１０Ｂの上方に所定の間隔をおいて前記床板２の端部を保持するとともに、前記固定部１０Ａ，１０Ｂの第１垂直板部１１Ａ，１１Ｂに対向する第２垂直板部２１Ａ，２１Ｂを有する保持部２０Ａ，２０Ｂと、これら第１垂直板部１１Ａ，１１Ｂおよび第２垂直板部２１Ａ，２１Ｂ間に設けられる振動減衰手段３０Ａ，３０Ｂとをそれぞれ備えていることを特徴とする。
【０００６】
ここで、前記振動減衰手段３０Ａ，３０Ｂとしては、バネとダンパからなる制振部材、ゴム、オイルダンパー、粘弾性材料などが好適使用され、更には摩擦で振動を減衰させるものでも良い。
【０００７】
請求項１に記載の発明によれば、衝撃によって前記床板２に発生する振動は、まず、この床板２を保持する前記保持部２０Ａ，２０Ｂに伝えられ、この保持部２０Ａ，２０Ｂは、前記床板２からの振動を受けることによって上下方向に動作することとなる。この時、前記保持部２０Ａ，２０Ｂを介して伝達される振動を、前記振動減衰手段３０Ａ，３０Ｂによって減衰できるとともに、このように振動を減衰することによって前記保持部２０Ａ，２０Ｂの動作も抑制できるので、この振動減衰手段３０Ａ，３０Ｂによって、前記床板２に発生した振動を相乗して減衰できることとなる。
また、前記第１垂直板部１１Ａ，１１Ｂおよび第２垂直板部２１Ａ，２１Ｂ間に、前記振動減衰手段３０Ａ，３０Ｂがそれぞれ設けられているので、これら第１垂直板部１１Ａ，１１Ｂおよび第２垂直板部２１Ａ，２１Ｂは、互いに面方向にずれることとなり、前記振動減衰手段３０Ａ，３０Ｂは剪断方向に機能することとなる。すなわち、前記床板２に発生した振動は、前記保持部２０Ａ，２０Ｂから、前記振動減衰手段３０Ａ，３０Ｂを介して、前記固定部１０Ａ，１０Ｂおよび前記床梁１ａ，１ｂまでの経路を辿って伝達しようとするので、例えば従来のようにフローリング材の裏面に弾性シートを貼り付ける方法等のように、床板に生じた振動が一直線に下方へと伝わる場合に比して、振動が伝わりにくくなる。さらに、床板２に発生した振動が前記床梁１ａ，１ｂへと伝達されようとする過程において前記振動減衰手段３０Ａ，３０Ｂが設けられ、この振動減衰手段３０Ａ，３０Ｂによって減衰されることとなるので、前記床板２に発生した振動は、前記床梁１ａ，１ｂに対してほとんど達しないこととなる。したがって、建物の上階から下階へと伝達される振動を低減することができるので、建物の上階から下階への床の衝撃音を確実に低減することが可能となる。
また、このように前記床板２に発生した振動を、前記振動減衰手段３０Ａ，３０Ｂによって減衰できるので、例えば従来のような裏面に弾性シート等が貼り付けられたフローリング材等を用いる必要がない。したがって、従来とは異なり、フローリング材の裏面に貼り付けられる弾性シートの弾性の度合いによって、床の浮き沈みが大きくなってしまうこともないので、従来に比して安定した歩行感を得ることができる。
【０００８】
また、前記保持部２０Ａ，２０Ｂは、前記固定部１０Ａ，１０Ｂの上方に所定の間隔をおいて前記床板２の端部を保持するので、これら固定部１０Ａ，１０Ｂおよび保持部２０Ａ，２０Ｂ間には隙間が形成されることとなる。これによって、前記床板２に発生した振動が前記保持部２０Ａ，２０Ｂに伝達されて、この保持部２０Ａ，２０Ｂが上下方向に動いた場合でも、前記固定部１０Ａ，１０Ｂと、前記保持部２０Ａ，２０Ｂとがぶつかり合うことを防ぐことができるので、前記床板２に発生した振動を、前記保持部２０Ａ，２０Ｂから前記振動減衰手段３０Ａ，３０Ｂへと確実に伝達することができ、前記振動減衰手段３０Ａ，３０Ｂによる振動減衰機能を確実に働かせることができる。
さらに、前記床板支持部材は、前記固定部１０Ａ，１０Ｂと、前記保持部２０Ａ，２０Ｂとがぶつからない程度の隙間をあけただけで構成され、前記床板２に発生した振動は、前記振動減衰手段３０Ａ，３０Ｂによって減衰されるので、従来のように床厚さを増加させ重量増と剛性増を行うことによって床の振動を減衰させる必要が無くなり、下階または上階の天井高が低くなることを防ぐことができる。
【０００９】
請求項２に記載の発明は、例えば図１〜図３に示すように、請求項１に記載の遮音床構造において、
前記端部用部材Ａの保持部２０Ａは、前記第２垂直板部２１Ａと、この第２垂直板部２１Ａの上端部から前記壁４に向かって突出する水平板部２２Ａと、この水平板部２２Ａの突端から前記壁４に沿って上方に突出する壁際板部２３Ａと、この壁際板部２３Ａの上端部から前記水平板部２２Ａと平行する方向に突出する突出片２４Ａとを備えており、
前記壁４に沿って敷設される床板２は、この床板２の壁側端部を、前記水平板部２２Ａと、前記壁際板部２３Ａと、前記突出片２４Ａとの間に差し込むようにして、前記床下地部１の上部に敷設されていることを特徴とする。
【００１０】
請求項２に記載の発明によれば、前記保持部２０Ａは、水平板部２２Ａの突端から前記壁４に沿って上方に突出する壁際板部２３Ａを備えており、前記前記壁４に沿って敷設される床板２は、この床板２の壁側端部を、前記水平板部２２Ａと、前記壁際板部２３Ａと、前記突出片２４Ａとの間に差し込むようにして、前記床下地部１の上部に敷設されているので、この床板２の壁側端部を前記壁４に近づけた状態で前記床下地部１の上部に敷設することができる。これによって、前記壁４に沿って敷設される床板２だけでなく、前記床下地部１の上部に敷設される前記床板２を、前記床下地部１上に確実に納めることができる。
【００１１】
請求項３に記載の発明は、例えば図３に示すように、請求項２に記載の遮音床構造において、
前記端部用部材Ａの固定部１０Ａは、前記第１垂直板部１１Ａと、この第１垂直板部１１Ａの上端部から前記床梁１ａの上面に沿って突出するとともに、前記保持部２０Ａの水平板部２２Ａと対向する水平板部１２Ａとを備えており、
この固定部１０Ａの水平板部１２Ａには、前記固定部１０Ａを前記床梁１ａに固定する止着材５を挿通させるための第１挿通孔１２Ａａが形成されており、この第１挿通孔１２Ａａは、前記止着材５の頭部５ａよりも小径に設定されており、
前記保持部２０Ａの水平板部２２Ａには、前記第１挿通孔１２Ａａと対向するとともに、前記止着材５の頭部５ａよりも大径な第２挿通孔２２Ａａが形成されており、
前記端部用部材Ａの保持部２０Ａによって保持される前記床板２の壁側端部には、前記保持部２０Ａの水平板部２２Ａに形成された第２挿通孔２２Ａａと対向するとともに、前記止着材５の頭部５ａよりも大径な第３挿通孔２ａが形成されており、
前記固定部１０Ａは、前記止着材５を、前記第２および第３挿通孔２２Ａａ，２ａを通過させるとともに、前記第１挿通孔１２Ａａに挿通させるようにして前記床梁１ａにねじ込むことによって、前記床梁１ａに固定されていることを特徴とする。
【００１２】
請求項３に記載の発明によれば、前記第１挿通孔１２Ａａは、前記止着材５の頭部５ａよりも小径に設定されており、前記第２挿通孔２２Ａａは、前記止着材５の頭部５ａよりも大径に設定されており、前記第３挿通孔２ａは、前記止着材５の頭部５ａよりも大径に設定されており、前記固定部１０Ａは、前記止着材５を、前記第２および第３挿通孔２２Ａａ，２ａを通過させるとともに、前記第１挿通孔１２Ａａに挿通させるようにして前記床梁１ａにねじ込むことによって、前記床梁１ａに固定されているので、前記端部用部材Ａを前記床梁１ａに固定する際は、前記保持部２０Ａによって前記床板２の壁側端部を保持したまま、前記固定部１０Ａを前記床梁１ａに載せることができるとともに、前記床板２の上から前記止着材５を差し込んで、この止着材５によって前記固定部１０Ａを固定することができ、前記床板２の取り付けや取り外しが容易となる。
【００１３】
請求項４に記載の発明は、例えば図１，図４および図５に示すように、請求項１〜３のいずれか一項に記載の遮音床構造において、
前記中間用部材Ｂの保持部２０Ｂは、前記第２垂直板部２１Ｂと、この第２垂直板部２１Ｂの上端部から前記隣り合う床板２，２の双方の上面に沿って突出する一方および他方の突出片２２Ｂ，２２Ｂと、前記第２垂直板部２１Ｂの中央部付近から前記隣り合う床板２，２の双方の下面に沿って突出する一方および他方の支持片２３Ｂ，２３Ｂとを備えており、
前記隣り合う床板２，２は、これら隣り合う床板２，２の隣り合う端部を、前記一方および他方の突出片２２Ｂ，２２Ｂと、前記一方および他方の支持片２３Ｂ，２３Ｂとの間にそれぞれ差し込むようにして、前記床下地部１の上部に敷設されていることを特徴とする。
【００１４】
請求項４に記載の発明によれば、前記保持部２０Ｂは、前記一方および他方の突出片２２Ｂ，２２Ｂと、前記一方および他方の支持片２３Ｂ，２３Ｂとを備えており、前記隣り合う床板２，２は、これら隣り合う床板２，２の隣り合う端部を、前記一方および他方の突出片２２Ｂ，２２Ｂと、前記一方および他方の支持片２３Ｂ，２３Ｂとの間にそれぞれ差し込むようにして、前記床下地部１の上部に敷設されているので、これら突出片２２Ｂ，２２Ｂおよび支持片２３Ｂ，２３Ｂによって、前記隣り合う床板２，２の隣り合う端部を確実に保持することができ、これら隣り合う床板２，２を前記床下地部１上に確実に納めることができる。
【００１５】
請求項５に記載の発明は、例えば図１に示すように、請求項１〜４のいずれか一項に記載の遮音床構造において、
前記床下地部１は、建築用床パネルによって構成されており、
この建築用床パネルは、床梁１ａとなる框材を矩形枠状に組み立ててなる枠体内に、床梁１ｂとなる補強桟材を所定の間隔をあけて複数並設するとともに、前記枠体および補強桟材の下面に面材１ｃを取り付けることによって形成されていることを特徴とする。
【００１６】
請求項５に記載の発明によれば、前記床下地部１は、建築用床パネルによって構成されていることから、この建築用床パネルに、予め前記床支持部材および床板２を取り付けておくことができるので、作業効率が良い。また、前記壁４が前記建築用床パネルと同質のパネルで構成されたものである場合に、これら建築用床パネルと壁４とを容易に連結することができる。
また、この建築用床パネルは、床梁１ａとなる框材を矩形枠状に組み立ててなる枠体内に、床梁１ｂとなる補強桟材を所定の間隔をあけて複数並設するとともに、前記枠体および補強桟材の下面に面材１ｃを取り付けることによって形成されているので、この面材１ｃと前記床板２との間に隙間を形成することができる。これによって、この隙間を、例えば配線や配管のためのスペースとして利用することができるので、使い勝手が良い。
【００１７】
請求項６に記載の発明は、例えば図１に示すように、請求項５に記載の遮音床構造において、
前記面材１ｃ上に、吸音材６が敷設されていることを特徴とする。
【００１８】
請求項６に記載の発明によれば、前記面材１ｃ上に、吸音材６が敷設されているので、この吸音材６によって、建物の上階から下階への床の衝撃音を吸収でき、より確実に低減することができる。
【発明の効果】
【００１９】
本発明によれば、衝撃によって床板に発生する振動を、保持部を介して振動減衰手段に伝達して減衰できるとともに、このように振動を減衰することによって保持部の上下動作も抑制できるので、この振動減衰手段によって、床板に発生した振動を相乗して減衰できることとなる。
また、第１垂直板部および第２垂直板部間に、振動減衰手段がそれぞれ設けられているので、これら第１垂直板部および第２垂直板部は、互いに面方向にずれることとなり、振動減衰手段は剪断方向に機能することとなる。すなわち、床板に発生した振動は、保持部から、振動減衰手段を介して、固定部および床梁までの経路を辿って伝達しようとするので、例えば従来のようにフローリング材の裏面に弾性シートを貼り付ける方法等のように、床板に生じた振動が一直線に下方へと伝わる場合に比して、振動が伝わりにくくなる。さらに、床板に発生した振動が床梁へと伝達されようとする過程において振動減衰手段が設けられ、この振動減衰手段によって減衰されることとなるので、床板に発生した振動は、床梁に対してほとんど達しないこととなる。したがって、建物の上階から下階へと伝達される振動を低減することができるので、建物の上階から下階への床の衝撃音を確実に低減することが可能となる。
また、このように床板に発生した振動を、振動減衰手段によって減衰できるので、例えば従来のような裏面に弾性シート等が貼り付けられたフローリング材等を用いる必要がない。したがって、従来とは異なり、フローリング材の裏面に貼り付けられる弾性シートの弾性の度合いによって、床の浮き沈みが大きくなってしまうこともないので、従来に比して安定した歩行感を得ることができる。
また、保持部は、固定部の上方に所定の間隔をおいて床板の端部を保持するので、これら固定部および保持部間には隙間が形成されることとなる。これによって、床板に発生した振動が保持部に伝達されて、この保持部が上下方向に動いた場合でも、固定部と、保持部とがぶつかり合うことを防ぐことができるので、床板に発生した振動を、保持部から振動減衰手段へと確実に伝達することができ、振動減衰手段による振動減衰機能を確実に働かせることができる。
さらに、床板支持部材は、固定部と、保持部とがぶつからない程度の隙間をあけただけで構成され、床板に発生した振動は、振動減衰手段によって減衰されるので、従来のように床厚さを増加させ重量増と剛性増を行うことによって床の振動を減衰させる必要が無くなり、下階または上階の天井高が低くなることを防ぐことができる。
【発明を実施するための最良の形態】
【００２０】
以下、図面を参照して本発明の実施の形態について説明する。
【００２１】
本実施の形態の遮音床構造は、図１〜図５に示すように、対向する壁４間に架設されるとともに、複数の床梁１ａ，１ｂを有する床下地部１の上部に、上面にフローリング材３が敷設される床板２が敷設されており、前記床下地部１と床板２との間には、前記複数の床梁１ａ，１ｂの長さ方向に沿って所定の間隔をあけて取り付けられるとともに、前記床板２を支持する床板支持部材が複数設けられており、この床板支持部材は、前記壁４に沿うようにして前記床下地部１の上部に敷設される床板２の壁側端部を保持する端部用部材Ａと、隣り合う床板２，２の隣り合う端部の双方を保持する中間用部材Ｂとで構成されており、これら端部用部材Ａおよび中間用部材Ｂは、前記床梁１ａ，１ｂに固定されるとともに、この床梁１ａ，１ｂの垂直面に沿う第１垂直板部１１Ａ，１１Ｂを有する固定部１０Ａ，１０Ｂと、この固定部１０Ａ，１０Ｂの上方に所定の間隔をおいて前記床板２の端部を保持するとともに、前記固定部１０Ａ，１０Ｂの第１垂直板部１１Ａ，１１Ｂに対向する第２垂直板部２１Ａ，２１Ｂを有する保持部２０Ａ，２０Ｂと、これら第１垂直板部１１Ａ，１１Ｂおよび第２垂直板部２１Ａ，２１Ｂ間に設けられる振動減衰手段３０Ａ，３０Ｂとをそれぞれ備えている。
【００２２】
ここで、前記床下地部１は、図１に示すように、例えば建築用床パネルによって構成されている。
この建築用床パネルは、前記床梁１ａとなる框材を矩形枠状に組み立ててなる枠体内に、前記床梁１ｂとなる補強桟材を所定の間隔をあけて複数並設するとともに、前記枠体および補強桟材の下面に面材１ｃを取り付けることによって形成されている。
また、前記面材１ｃは、前記枠体および補強桟材の下面に取り付けられているので、この面材１ｃを、前記床下地部１の下方に設けられる建物の下階の天井として用いることができる。
【００２３】
そして、このように前記床下地部１を、建築用床パネルによって構成することによって、この建築用床パネルに、予め前記床支持部材および床板２を取り付けておくことができるので、作業効率が良い。また、前記壁４が前記建築用床パネルと同質のパネルで構成されたものである場合に、これら建築用床パネルと壁４とを容易に連結することが可能となる。
また、この建築用床パネルは、前記床梁１ａとなる框材を矩形枠状に組み立ててなる枠体内に、前記床梁１ｂとなる補強桟材を所定の間隔をあけて複数並設するとともに、前記枠体および補強桟材の下面に面材１ｃを取り付けることによって形成されているので、この面材１ｃと前記床板２との間に隙間を形成することができる。これによって、この隙間を、例えば配線や配管のためのスペースとして利用することができるので、使い勝手が良い。
【００２４】
なお、前記面材１ｃ上には、吸音材６が敷設されており、この吸音材６によって、建物の上階から下階への床の衝撃音を吸収でき、より確実に低減することができるようになっている。また、この吸音材６としては、本実施の形態においてはグラスウールが用いられるが、これに限られず、例えばロックウールやウレタン等でもよい。
【００２５】
一方、前記床板２の上面に敷設されるフローリング材３は、凸状の雄実部と凹状の雌実部とによる実矧ぎによって互いに接合されるものである。また、前記壁４には、この壁４に沿って前記床板２の上面に敷設されるフローリング材３の壁側端部の上部に位置する幅木４ａが取り付けられている。
【００２６】
なお、前記壁４に沿って前記床板２の上面に敷設されるフローリング材３は、前記壁４から若干離間させるようにして前記床板２の上面に敷設するようにしてもよい。また、同様に、前記壁４に沿って前記床下地部１の上部に敷設される床板２も、前記壁４から若干離間させるようにして前記床下地部１の上部に敷設するようにしてもよい。これによって、前記床板２およびフローリング材３に発生する振動を、前記壁４を介して他階に伝達されることを防ぐことができる。
また、前記フローリング材３を、前記壁４から若干離間させる場合は、これらフローリング材３および壁４間に形成される隙間を、前記幅木４ａによって遮蔽する。
【００２７】
一方、本実施の形態の床板支持部材の端部用部材Ａおよび中間用部材Ｂの振動減衰手段３０Ａ，３０Ｂを除く部分は、いずれも同種の金属からなる。これら端部用部材Ａおよび中間用部材Ｂは、金属板を折曲げ加工することによって形成されている。
また、本実施の形態の振動減衰手段３０Ａ，３０Ｂとしては、高減衰ゴムが用いられており、前記第１垂直板部１１Ａ，１１Ｂおよび第２垂直板部２１Ａ，２１Ｂに対して強固に固定されている。なお、このような高減衰ゴムに限らず、例えばバネとダンパからなる制振部材、ゴム、オイルダンパー、粘弾性材料などが好適使用され、更には摩擦で振動を減衰させるもの等を用いるようにしてもよい。
【００２８】
なお、この振動減衰手段３０Ａ，３０Ｂである高減衰ゴムは、例えば、人間の通常の歩行時や物の落下時の微細な振動、子どもが飛び跳ねたときなどに生じる振動、または交通振動などの環境振動から台風時の風揺れ、大地震に至るまでの幅広い振幅領域で機能する歪依存性が小さい粘弾性体を用いる。すなわち、小歪から大歪まで安定した振動エネルギー吸収能力を発揮するものを用いる。
【００２９】
また、前記端部用部材Ａは、図１〜図５に示すように、上述のように前記床梁１ａに固定されるとともに、この床梁１ａの垂直面に沿う第１垂直板部１１Ａを有する固定部１０Ａと、この固定部１０Ａの上方に所定の間隔をおいて前記床板２の端部を保持するとともに、前記固定部１０Ａの第１垂直板部１１Ａに対向する第２垂直板部２１Ａを有する保持部２０Ａと、これら第１垂直板部１１Ａおよび第２垂直板部２１Ａ間に設けられる前記振動減衰手段３０Ａとを備えている。
【００３０】
また、この端部用部材Ａの保持部２０Ａは、図１および図２に示すように、前記第２垂直板部２１Ａと、この第２垂直板部２１Ａの上端部から前記壁４に向かって突出する水平板部２２Ａと、この水平板部２２Ａの突端から前記壁４に沿って上方に突出する壁際板部２３Ａと、この壁際板部２３Ａの上端部から前記水平板部２２Ａと平行する方向に突出する突出片２４Ａとを備えている。
なお、本実施の形態において前記壁際板部２３Ａは、前記保持部２０Ａに対して２つ備えられており、前記水平板部２２Ａの突端の両端部から二股に分かれるようにして設けられている。また、前記壁際板部２３Ａの上端部に設けられる前記突出片２４Ａも、前記保持部２０Ａに対して２つ備えられている。
【００３１】
なお、前記保持部２０Ａの水平板部２２Ａには、図３に示すように、後述する固定部１０Ａの水平板部１２Ａに形成される第１挿通孔１２Ａａと対向するとともに、前記固定部１０Ａを前記床梁１ａに固定する止着材５の頭部５ａよりも大径な第２挿通孔２２Ａａが形成されている。また、この第２挿通孔２２Ａａは、前記水平板部１２Ａの中央部付近に位置しているとともに、二股に分かれた前記壁際板部２３Ａおよび突出片２４Ａ間に位置している。
また、前記突出片２４Ａには、この突出片２４Ａを貫通するビス孔２４Ａａが形成されており、前記保持部２０Ａによって前記床板２の壁側端部を保持した後に、ビスをねじ込んで、前記固定部１０Ａと前記床板２とを連結するようにしてもよい。
【００３２】
そして、前記壁４に沿って敷設される床板２は、この床板２の壁側端部を、前記保持部１０Ａの水平板部２２Ａと、前記壁際板部２３Ａと、前記突出片２４Ａとの間に差し込むようにして、前記床下地部１の上部に敷設されている。
これにより、この床板２の壁側端部を前記壁４に近づけた状態で前記床下地部１の上部に敷設することができるので、前記壁４に沿って敷設される床板２だけでなく、前記床下地部１の上部に敷設される前記床板２を、前記床下地部１上に確実に納めることができるようになっている。
【００３３】
なお、前記保持部２０Ａによって前記床板２の端部を保持する場合は、前記床板２の上面側に、前記突出片２４Ａに対応する欠込部を形成してもよい。これによって、前記床板２の上面と、前記突出片２４Ａの上面とが面一となるので、これら床板２および突出片２４Ａの上面に敷設されるフローリング材３を敷設する際に、段差無く敷設できる。
また、この欠込部は、前記水平板部２２Ａの突端の両端部から二股に分かれるようにして設けられた壁際板部２３Ａ，２３Ａの上端部から前記水平板部２２Ａと平行する方向に突出してなる突出部２４Ａ，２４Ａの位置や形状に合わせて、前記床板２に欠き込みされてなる。
【００３４】
また、前記端部用部材Ａの固定部１０Ａは、図１および図２に示すように、前記第１垂直板部１１Ａと、この第１垂直板部１１Ａの上端部から前記床梁１ａの上面に沿って突出するとともに、前記保持部２０Ａの水平板部２２Ａと対向する水平板部１２Ａとを備えている。
さらに、この固定部１０Ａの水平板部１２Ａには、図３に示すように、前記止着材５を挿通させるための第１挿通孔１２Ａａが形成されており、この第１挿通孔１２Ａａは、前記止着材５の頭部５ａよりも小径に設定されている。
なお、前記端部用部材Ａの保持部２０Ａによって保持される前記床板２の壁側端部には、前記保持部２０Ａの水平板部２２Ａに形成された第２挿通孔２２Ａａと対向するとともに、前記止着材５の頭部５ａよりも大径な第３挿通孔２ａが形成されている。
【００３５】
そして、前記固定部１０Ａは、前記止着材５を、前記第２および第３挿通孔２２Ａａ，２ａを通過させるとともに、前記第１挿通孔１２Ａａに挿通させるようにして前記床梁１ａにねじ込むことによって、前記床梁１ａに固定されている。
これによって、前記端部用部材Ａを前記床梁１ａに固定する際は、前記保持部２０Ａによって前記床板２の壁側端部を保持したまま、前記固定部１０Ａを前記床梁１ａに載せることができるとともに、前記床板２の上から前記止着材５を差し込んで、この止着材５によって前記固定部１０Ａを固定することができるので、前記床板２の取り付けや取り外しが容易となる。
【００３６】
しかも、このように前記保持部２０Ａによって前記床板２の壁側端部を保持したまま、前記固定部１０Ａを前記床梁１ａに載せることができるとともに、前記床板２の上から前記止着材５を差し込んで、この止着材５によって前記固定部１０Ａを固定することができるので、前記壁４に沿って敷設される床板２を、前記床下地部１の上部に敷設される床板２全体の取付作業の最後に行うことができる。または、この壁４に沿って敷設される床板２を、前記床下地部１の上部に敷設される床板２全体の取り外し作業の最初に行うことができる。
すなわち、前記壁４に沿って敷設される床板２の壁側端部とは反対の端部を、前記中間用部材Ｂの保持部２０Ｂに保持させながら、この床板２の壁側端部を前記床梁１ａに載せるようにして前記床下地部１の上部に敷設できることとなる。これによって、前記壁４に沿って敷設される床板２を取り付ける工程や、この床板２を取り外す工程を、前記床板２全体の取付作業または取り外し作業の端緒とすることができるので、前記床下地部１の上部に敷設される床板２全体の取付作業または取り外し作業を容易かつ確実に行うことができる。
【００３７】
ただし、前記建築用床パネルによって構成される床下地部１の上部に、予め工場等で前記床板２を敷設しておく場合は、前記床板２を、前記床梁１ａ，１ｂである框材および補強桟材に取り付けられた端部用部材Ａおよび中間用部材Ｂのそれぞれの保持部２０Ａ，２０Ｂ間に差し込んでスライドさせるようにして前記床下地部１の上部に敷設するようにしてもよい。
【００３８】
一方、前記中間用部材Ｂは、図１，図４および図５に示すように、上述のように前記床梁１ｂに固定されるとともに、この床梁１ｂの垂直面に沿う第１垂直板部１１Ｂを有する固定部１０Ｂと、この固定部１０Ｂの上方に所定の間隔をおいて前記床板２の端部を保持するとともに、前記固定部１０Ｂの第１垂直板部１１Ｂに対向する第２垂直板部２１Ｂを有する保持部２０Ｂと、これら第１垂直板部１１Ｂおよび第２垂直板部２１Ｂ間に設けられる前記振動減衰手段３０Ｂとを備えている。
【００３９】
また、前記中間用部材Ｂの保持部２０Ｂは、前記第２垂直板部２１Ｂと、この第２垂直板部２１Ｂの上端部から前記隣り合う床板２，２の双方の上面に沿って突出する一方および他方の突出片２２Ｂ，２２Ｂと、前記第２垂直板部２１Ｂの中央部付近から前記隣り合う床板２，２の双方の下面に沿って突出する一方および他方の支持片２３Ｂ，２３Ｂとを備えている。
【００４０】
なお、本実施の形態において前記一方および他方の突出片２２Ｂ，２２Ｂは、前記第２垂直板部２１Ｂの上端部の両端部に設けられている。つまり、前記一方および他方の突出片２２Ｂ，２２Ｂは、前記第２垂直板部２１Ｂの上端部の両端部に二股に分かれるようにして設けられた一対の金属片を、それぞれ更に分割するとともに、分割した金属片を前記隣り合う床板２，２の双方の上面に沿って突出する方向にそれぞれ折曲形成することによって、前記第２垂直板部２１Ｂの上端部に設けられている。
また、前記突出片２２Ｂ，２２Ｂには、この突出片２２Ｂ，２２Ｂを貫通するビス孔が形成されており、前記保持部２０Ｂによって前記床板２の端部を保持した後に、ビスをねじ込んで、前記固定部１０Ｂと前記床板２とを連結するようにしてもよい。
さらに、前記一方および他方の支持片２３Ｂ，２３Ｂは、前記第２垂直板部２１Ｂの中央部付近を、上端部を残した状態で切除して金属片を形成し、この金属片を更に分割するとともに、分割した金属片を前記隣り合う床板２，２の双方の下面に沿って突出する方向にそれぞれ折曲形成することによって、前記第２垂直板部２１Ｂの中央部付近に設けられている。
【００４１】
そして、前記隣り合う床板２，２は、これら隣り合う床板２，２の隣り合う端部を、前記一方および他方の突出片２２Ｂ，２２Ｂと、前記一方および他方の支持片２３Ｂ，２３Ｂとの間にそれぞれ差し込むようにして、前記床下地部１の上部に敷設されている。
これにより、これら突出片２２Ｂ，２２Ｂおよび支持片２３Ｂ，２３Ｂによって、前記隣り合う床板２，２の隣り合う端部を確実に保持することができ、これら隣り合う床板２，２を前記床下地部１上に確実に納めることができるようになっている。
【００４２】
なお、前記保持部２０Ａによって前記床板２の端部を保持する場合は、前記床板２の上面側に、前記突出片２２Ｂ，２２Ｂに対応する欠込部を形成してもよい。これによって、前記床板２の上面と、前記突出片２２Ｂ，２２Ｂの上面とが面一となるので、これら床板２および突出片２２Ｂ，２２Ｂの上面に敷設されるフローリング材３を敷設する際に、段差無く敷設できる。
また、この欠込部は、前記第２垂直板部２１Ｂの上端部の両端部に二股に分かれるようにして設けられた一対の金属片を、それぞれ更に分割するとともに、分割した金属片をそれぞれ折曲形成してなる突出部２２Ｂ，２２Ｂの位置や形状に合わせて、前記床板２に欠き込みされてなる。
【００４３】
なお、本実施の形態の欠込部は、前記突出部２４Ａ，２３Ｂの位置や形状に合わせて、前記床板２に欠き込みされてなるものとしたが、前記突出部２４Ａおよび突出部２３Ｂの形状に合わせずに、位置だけに合わせて欠込部を形成するようにしてもよい。これによって、前記壁４に沿って敷設される床板２を、前記端部用部材Ａの保持部２０Ａの突出部２４Ａの形状に合わせる必要がなくなるので、全ての床板２に同じように欠込部を形成することで、前記壁４に沿って敷設される床板２と、そうでない床板２とを区別する必要が無くなる。
【００４４】
また、前記中間用部材Ｂの固定部１０Ｂは、前記第１垂直板部１１Ｂと、この第１垂直板部１１Ｂの上端部から前記床梁１ｂの上面に沿って突出する水平板部１２Ｂとを備えている。そして、この固定部１０Ｂの水平板部１２Ｂには、前記固定部１０Ｂを前記床梁１ｂに固定する止着材５を挿通させるとともに、この止着材５の頭部５ａよりも小径な第１挿通孔１２Ｂａが形成されている。
そして、本実施の形態の固定部１０Ｂは、前記止着材５を、前記第１挿通孔１２Ｂａに挿通させるようにして前記床梁１ｂにねじ込むことによって、前記床梁１ｂに固定されているものとする。この時、前記保持部２０Ｂによって保持される前記隣り合う床板２，２のうち、少なくとも前記水平板部１２Ｂの上方に設けられる床板２は、前記中間用部材Ｂが前記床梁１ｂに固定された後に、前記保持部２０Ｂによって保持されるようにして前記床下地部１の上部に敷設されることとなる。
【００４５】
なお、本実施の形態の固定部１０Ｂは、前記止着材５を、前記第１挿通孔１２Ｂａに挿通させるようにして前記床梁１ｂにねじ込むことによって、前記床梁１ｂに固定されているものとしたが、これに限るものではない。すなわち、前記中間用部材Ｂの保持部２０Ｂによって保持される前記隣り合う床板２，２のうち、前記固定部１０Ｂの水平板部１２Ｂの上方に設けられる床板２の端部に、前記第１挿通孔１２Ｂａと対向するとともに、前記止着材５の頭部５ａよりも大径に設定された第２挿通孔２ｂを形成してもよい。
したがって、前記固定部１０Ｂは、前記止着材５を、前記第２挿通孔２ｂを通過させるとともに、前記第１挿通孔１２Ｂａに挿通させるようにして前記床梁１ｂにねじ込むことによって、前記床梁１ｂに固定されることとなる。
これによって、前記中間用部材Ｂを前記床梁１ｂに固定する際は、前記保持部２０Ｂによって前記床板２の端部を保持したまま、前記固定部１０Ｂを前記床梁１ｂに載せることができるとともに、前記床板２の上から前記止着材５を差し込んで、この止着材５によって前記固定部１０Ｂを固定することができるので、前記床板２の取り付けや取り外しが容易となり、好ましい。
【００４６】
一方、図２〜図５に示すように、前記端部用部材Ａおよび中間用部材Ｂの保持部２０Ａ，２０Ｂは、上述のように、前記固定部１０Ａ，１０Ｂの上方に所定の間隔をおいて前記床板２の端部を保持するので、これら固定部１０Ａ，１０Ｂおよび保持部２０Ａ，２０Ｂ間には隙間が形成されることとなる。
これによって、前記床板２に発生した振動が前記保持部２０Ａ，２０Ｂに伝達されて、この保持部２０Ａ，２０Ｂが上下方向に動いた場合でも、前記固定部１０Ａ，１０Ｂと、前記保持部２０Ａ，２０Ｂとがぶつかり合うことを防ぐことができる。
【００４７】
さらに、前記端部用部材Ａの保持部２０Ａの第２垂直板部２１Ａと、前記中間用部材Ｂの保持部２０Ｂの第２垂直板部２１Ｂには、これら第２垂直板部２１Ａ，２１Ｂから前記床梁１ａ，１ｂに向かってねじ込まれる止着材（図示せず）を挿通させるための挿通孔２１Ａａ，２１Ｂａがそれぞれ形成されている。
また、図示はしないが、これら第２垂直板部２１Ａ，２１Ｂに対向する第１垂直板部１１Ａ，１１Ｂにも、前記止着材を挿通させるための挿通孔が形成されている。
これら第２垂直板部２１Ａ，２１Ｂの挿通孔２１Ａａ，２１Ｂａおよび第１垂直板部１１Ａ，１１Ｂの挿通孔には、前記止着材を挿通させてもよいし、挿通させなくてもよく、適宜選択できるものとする。
【００４８】
そして、これら第２垂直板部２１Ａ，２１Ｂの挿通孔２１Ａａ，２１Ｂａおよび第１垂直板部１１Ａ，１１Ｂの挿通孔に、前記止着材を挿通させて前記床梁１ａ，１ｂにねじ込んだ場合は、前記端部用部材Ａおよび中間用部材Ｂを、前記床梁１ａ，１ｂに強固に固定できることとなる。また、この止着材によって、前記第２垂直板部２１Ａ，２１Ｂが、前記第１垂直板１１Ａ，１１Ｂに対して引き剥がし方向に離間することを確実に防ぐことが可能となる。
なお、この場合は、前記床梁１ａ，１ｂにねじ込まれた止着材によって、前記床板２に発生する振動を受けることによって前記保持部２０Ａ，２０Ｂが上下方向に動作することを若干抑制する場合があるが、前記止着材を前記床梁１ａ，１ｂにねじ込んでも、前記床板２に振動が発生すれば、この振動を前記保持部２０Ａ，２０Ｂによって受けることとなるので、これら保持部２０Ａ，２０Ｂも、振動による前記止着材の軸部の撓みを利用して上下方向に動作することとなる。したがって、前記振動減衰手段３０Ａ，３０Ｂによって前記床板２の振動を確実に減衰できるようになっている。
【００４９】
また、このように前記止着材を前記第２垂直板部２１Ａ，２１Ｂの挿通孔２１Ａａ，２１Ｂａおよび第１垂直板部１１Ａ，１１Ｂの挿通孔に挿通させる場合は、少なくとも前記第２垂直板部２１Ａ，２１Ｂの挿通孔２１Ａａ，２１Ｂａを、前記止着材の軸部よりも大径で、かつ頭部よりも小径となるように設定してもよい。
すなわち、少なくとも前記第２垂直板部２１Ａ，２１Ｂの挿通孔２１Ａａ，２１Ｂａを、前記止着材の軸部よりも大径にすることによって、振動を受けた際の前記保持部２０Ａ，２０Ｂの上下方向の動作を大きくすることができるので、前記振動減衰手段３０Ａ，３０Ｂの振動減衰機能を効果的に働かせることができる。また、少なくとも前記第２垂直板部２１Ａ，２１Ｂの挿通孔２１Ａａ，２１Ｂａを、前記止着材の頭部よりも小径にすることによって、前記第２垂直板部２１Ａ，２１Ｂが、前記第１垂直板１１Ａ，１１Ｂに対して引き剥がし方向に離間することを確実に防ぐことができる。
【００５０】
そして、前記止着材を、前記第２垂直板部２１Ａ，２１Ｂの挿通孔２１Ａａ，２１Ｂａおよび第１垂直板部１１Ａ，１１Ｂの挿通孔に挿通させない場合は、前記保持部２０Ａ，２０Ｂの上下方向の動作が前記止着材によって抑制されることがないので、前記止着材を挿通させる場合に比して、前記振動減衰手段３０Ａ，３０Ｂの振動減衰性能が高いものとなる。
【００５１】
また、このように前記止着材を前記第２垂直板部２１Ａ，２１Ｂの挿通孔２１Ａａ，２１Ｂａおよび第１垂直板部１１Ａ，１１Ｂの挿通孔に挿通させない場合は、前記止着材を、前記固定部１０Ａ，１０Ｂを前記床梁１ａ，１ｂに強固に固定するために用いるようにしてもよい。
すなわち、前記第２垂直板部２１Ａ，２１Ｂの挿通孔２１Ａａ，２１Ｂａを、前記止着材の頭部よりも大径にすることによって、前記止着材を、前記第２垂直板部２１Ａ，２１Ｂを通過させて前記床梁１，１にねじ込むことができるので、前記第２垂直板部２１Ａ，２１Ｂが、前記止着材によって干渉されないこととなる。したがって、前記保持部２０Ａ，２０Ｂの上下方向の動作を前記止着材によって抑制されにくくなるので、前記振動減衰手段３０Ａ，３０Ｂの振動減衰性能が高い状態を維持しつつ、前記固定部１０Ａ，１０Ｂを前記床梁１ａ，１ｂに強固に固定することができる。
【００５２】
なお、上述のように、前記止着材を、前記第２垂直板部２１Ａ，２１Ｂの挿通孔２１Ａａ，２１Ｂａおよび第１垂直板部１１Ａ，１１Ｂの挿通孔のうち、少なくとも一方に挿通させる場合は、前記振動減衰手段３０Ａ，３０Ｂである高減衰ゴムに、前記止着材を挿通可能となるビス挿通孔（図示せず）を形成するようにしてもよい。
【００５３】
以上のように、前記止着材を、前記第２垂直板部２１Ａ，２１Ｂの挿通孔２１Ａａ，２１Ｂａおよび第１垂直板部１１Ａ，１１Ｂの挿通孔に挿通させたり、挿通させなかったりを適宜選択することによって、前記端部用部材Ａおよび中間用部材Ｂの前記床梁１ａ，１ｂに対する固定強度や、前記振動減衰手段３０Ａ，３０Ｂの振動減衰性能を適宜調節することができるので、建物の居住者の要望に応えることが可能となる。
【００５４】
次に、前記端部用部材Ａおよび中間用部材Ｂによって前記床板２に発生する振動を減衰する際の動作について説明する。
【００５５】
まず、前記床板２に振動が発生する。この床板２に発生した振動は、この床板２の端部を保持する前記端部用部材Ａおよび中間用部材Ｂの保持部２０Ａ，２０Ｂに伝達される。
この時、これら保持部２０Ａ，２０Ｂは、上下方向に動作して、前記第１垂直板部１１Ａ，１１Ｂおよび第２垂直板部２１Ａ，２１Ｂは、互いに面方向にずれることとなる。
【００５６】
続いて、前記床板２に発生した振動は、前記保持部２０Ａ，２０Ｂから、これら保持部２０Ａ，２０Ｂの第２垂直板部２１Ａ，２１Ｂを介して、前記振動減衰手段３０Ａ，３０Ｂに伝達される。
そして、このように前記振動減衰手段３０Ａ，３０Ｂに伝達された振動は、これら振動減衰手段３０Ａ，３０Ｂによって減衰されることとなる。
また、このように振動を減衰することによって前記保持部２０Ａ，２０Ｂの上下方向の動作も抑制されることとなる。
【００５７】
すなわち、前記振動減衰手段３０Ａ，３０Ｂは剪断方向に機能することとなり、前記床板２に発生した振動は、前記保持部２０Ａ，２０Ｂから、前記振動減衰手段３０Ａ，３０Ｂを介して、前記固定部１０Ａ，１０Ｂおよび前記床梁１ａ，１ｂまでの経路を辿って伝達される。つまり、建物の上階から下階へと伝達されようとする振動は、伝達されようとする過程において、その伝達方向が多段階的に折曲することとなり、さらには前記振動減衰手段３０Ａ，３０Ｂを介すことにもなるので、建物の上階から下階へと振動が伝わりにくくすることができる。
【００５８】
本実施の形態によれば、衝撃によって前記床板２に発生する振動は、まず、この床板２を保持する前記保持部２０Ａ，２０Ｂに伝えられ、この保持部２０Ａ，２０Ｂは、前記床板２からの振動を受けることによって上下方向に動作することとなる。この時、前記保持部２０Ａ，２０Ｂを介して伝達される振動を、前記振動減衰手段３０Ａ，３０Ｂによって減衰できるとともに、このように振動を減衰することによって前記保持部２０Ａ，２０Ｂの動作も抑制できるので、この振動減衰手段３０Ａ，３０Ｂによって、前記床板２に発生した振動を相乗して減衰できることとなる。
また、前記第１垂直板部１１Ａ，１１Ｂおよび第２垂直板部２１Ａ，２１Ｂ間に、前記振動減衰手段３０Ａ，３０Ｂがそれぞれ設けられているので、これら第１垂直板部１１Ａ，１１Ｂおよび第２垂直板部２１Ａ，２１Ｂは、互いに面方向にずれることとなり、前記振動減衰手段３０Ａ，３０Ｂは剪断方向に機能することとなる。すなわち、前記床板２に発生した振動は、前記保持部２０Ａ，２０Ｂから、前記振動減衰手段３０Ａ，３０Ｂを介して、前記固定部１０Ａ，１０Ｂおよび前記床梁１ａ，１ｂまでの経路を辿って伝達しようとするので、例えば従来のようにフローリング材の裏面に弾性シートを貼り付ける方法等のように、床板に生じた振動が一直線に下方へと伝わる場合に比して、振動が伝わりにくくなる。さらに、床板２に発生した振動が前記床梁１ａ，１ｂへと伝達されようとする過程において前記振動減衰手段３０Ａ，３０Ｂが設けられ、この振動減衰手段３０Ａ，３０Ｂによって減衰されることとなるので、前記床板２に発生した振動は、前記床梁１ａ，１ｂに対してほとんど達しないこととなる。したがって、建物の上階から下階へと伝達される振動を低減することができるので、建物の上階から下階への床の衝撃音を確実に低減することが可能となる。
また、このように前記床板２に発生した振動を、前記振動減衰手段３０Ａ，３０Ｂによって減衰できるので、例えば従来のような裏面に弾性シート等が貼り付けられたフローリング材等を用いる必要がない。したがって、従来とは異なり、フローリング材の裏面に貼り付けられる弾性シートの弾性の度合いによって、床の浮き沈みが大きくなってしまうこともないので、従来に比して安定した歩行感を得ることができる。
【００５９】
また、前記保持部２０Ａ，２０Ｂは、前記固定部１０Ａ，１０Ｂの上方に所定の間隔をおいて前記床板２の端部を保持するので、これら固定部１０Ａ，１０Ｂおよび保持部２０Ａ，２０Ｂ間には隙間が形成されることとなる。これによって、前記床板２に発生した振動が前記保持部２０Ａ，２０Ｂに伝達されて、この保持部２０Ａ，２０Ｂが上下方向に動いた場合でも、前記固定部１０Ａ，１０Ｂと、前記保持部２０Ａ，２０Ｂとがぶつかり合うことを防ぐことができるので、前記床板２に発生した振動を、前記保持部２０Ａ，２０Ｂから前記振動減衰手段３０Ａ，３０Ｂへと確実に伝達することができ、前記振動減衰手段３０Ａ，３０Ｂによる振動減衰機能を確実に働かせることができる。
さらに、前記床板支持部材は、前記固定部１０Ａ，１０Ｂと、前記保持部２０Ａ，２０Ｂとがぶつからない程度の隙間をあけただけで構成され、前記床板２に発生した振動は、前記振動減衰手段３０Ａ，３０Ｂによって減衰されるので、従来のように床厚さを増加させ重量増と剛性増を行うことによって床の振動を減衰させる必要が無くなり、下階または上階の天井高が低くなることを防ぐことができる。
【図面の簡単な説明】
【００６０】
【図１】本発明の遮音床構造を示す斜視図である。
【図２】端部用部材を示す斜視図である。
【図３】床板および端部用部材の取付形態を示す断面図である。
【図４】中間用部材を示す斜視図である。
【図５】床板および中間用部材の取付形態を示す断面図である。
【符号の説明】
【００６１】
１  床下地部
２  床板
Ａ  端部用部材
Ｂ  中間用部材
１０Ａ  固定部
１０Ｂ  固定部
１１Ａ  第１垂直板部
１１Ｂ  第１垂直板部
２０Ａ  保持部
２０Ｂ  保持部
２１Ａ  第２垂直板部
２１Ｂ  第２垂直板部
３０Ａ  振動減衰手段
３０Ｂ  振動減衰手段
【図１】
0005038948.tif 000002
【図２】
0005038948.tif 000003
【図３】
0005038948.tif 000004
【図４】
0005038948.tif 000005
【図５】
0005038948.tif 000006